(57)【要約】【課題】制御装置と蓄積装置とを別個の工程で生産し、最終組み立て工程で任意のペアリングで一体化できる、情報処理装置を提供する。【解決手段】蓄積装置１２０のリアルタイム性能測定結果であるユーザ領域/予備領域対応情報１２４を、制御装置１１０の汎用データ１１１Ｂと蓄積装置１２０のユニークデータ１２０Ａとを使用して暗号化することで、性能確認時とは異なる組み合わせでも、リアルタイム処理性能保証が可能で、かつ著作権も保護出来る情報処理装置を実現する。【選択図】図１
2007133631.tif 000002
【特許請求の範囲】
【請求項１】
外部IFとの情報の入出力を制御する外部入出力制御部と、情報を蓄積する不揮発記憶部と、前記外部入出力制御部と前記不揮発記憶部との間で、情報を管理情報と共に入出力制御する内部入出力制御部とを備え、
記録する情報の著作権に対応するため、前記不揮発記憶部と前記内部入出力制御部の組み合わせに固有の鍵情報で、前記不揮発記憶部に蓄積する情報およびその管理情報の少なくとも一方を暗号化する情報処理装置であって、
前記不揮発記憶部の検査時に少なくとも管理情報の一部又は全部を暗号化する鍵情報として、前記不揮発記憶部のユニークデータと前記内部入出力制御部の汎用データを用いたことを特徴とする情報処理装置
【請求項２】
前記管理情報の一部は交替処理情報である、請求項１に記載の情報処理装置。
【発明の詳細な説明】
【技術分野】
【０００１】
本発明は、オーディオ機器、ビデオ機器等の映像や音声等の情報に対して、録画や再生等の処理を行う、情報処理装置に関する。
【背景技術】
【０００２】
従来の情報処理装置は、蓄積する情報とその情報をハンドリングするための管理情報の全てに対し、蓄積時に制御装置と蓄積装置にそれぞれ固有の情報で暗号化を施し、再生時は、制御装置と蓄積装置にそれぞれ固有の情報で復号している（例えば特許文献１参照）。この時施される暗号化は、制御装置と蓄積装置に固有の情報のうち、いずれか一方を用いて情報を暗号化し、次に残る一方を用いて暗号化を重ねる二重暗号化の方法や、いずれか一方の固有情報でもう一方の固有情報を先ず暗号化し、得られた情報を鍵にして情報を暗号化する等の方法が有る。
【０００３】
また従来の情報処理装置における、蓄積する情報をハンドリングするための管理情報としては、特に性能や信頼性に大きな影響を及ぼす情報として、蓄積装置の記録単位を幾つかまとめた、処理する情報のリアルタイム性を保証するのに適したＡＶ情報のアクセス単位となる第２の記録単位と、第２の記録単位での欠陥領域と代替領域との対応情報が知られている（例えば特許文献２参照）。
【特許文献１】特開２００３−１７９８５０号公報
【特許文献２】特開２０００−１１３６０２号公報
【発明の開示】
【発明が解決しようとする課題】
【０００４】
しかしながら、前記従来の構成では、管理情報を含む蓄積する全ての情報を固有の情報で暗号化する必要が有るので、リアルタイム性を保証するのに適したＡＶ情報のアクセス単位である第２の記録単位での欠陥領域と代替領域との対応情報も、最終的な(出荷する)制御装置と蓄積装置との組み合わせで暗号化する必要が有る。その為最終的な(出荷する)制御装置と蓄積装置との組み合わせで蓄積装置の処理性能を確認する、即ち最終的な(出荷する)組み合わせで制御装置と蓄積装置とを一体生産する必要があり、出荷前の蓄積装置の検査工程における効率が悪いと言う課題を有していた。
【０００５】
本発明は、前記従来の問題点を解決するもので、制御装置と蓄積装置とを別個の工程で生産し、最終組み立て工程で任意のペアリングで一体化できる、情報処理装置を提供することを目的とする。
【課題を解決するための手段】
【０００６】
本発明の情報処理装置は、外部IFとの情報の入出力を制御する外部入出力制御部と、情報を蓄積する不揮発記憶部と、前記外部入出力制御部と前記不揮発記憶部との間で、情報を管理情報と共に入出力制御する内部入出力制御部とを備え、記録する情報の著作権に対応するため、前記不揮発記憶部と前記内部入出力制御部の組み合わせに固有の鍵情報で、前記不揮発記憶部に蓄積する情報およびその管理情報の少なくとも一方を暗号化する情報処理装置であって、前記不揮発記憶部の検査時に少なくとも管理情報の一部又は全部を暗号化する鍵情報として、前記不揮発記憶部のユニークデータと前記内部入出力制御部の汎用データを用いたことを特徴とする。
【０００７】
また前記管理情報の一部は交替処理情報であることが望ましい。
【発明の効果】
【０００８】
本発明の情報処理装置によれば、リアルタイム処理性能保証が可能で、かつ著作権保護も両立できる情報処理装置を、制御装置と蓄積装置とを全く個別に生産した後、任意に組み合わせる事、或いは全く組み合わせずに出荷する事が可能となり、その事によって大幅な製造コスト削減が可能となる。
【発明を実施するための最良の形態】
【０００９】
以下本発明を実施するための最良の形態について、図面を参照しながら説明する。
【００１０】
（実施の形態１）
図１は、本発明の実施の形態１における情報処理装置の構成図である。
【００１１】
情報処理装置１００はＩＥＥＥ１３９４インターフェイス１０１に接続され、さらにＩＥＥＥ１３９４インターフェイス１０１は、ＩＥＥＥ１３９４バス１０３を経由して、ホストシステム１０５に接続されている。
【００１２】
ホストシステム１０５は、ＩＥＥＥ１３９４インターフェイス１０４を備えており、情報処理装置１００に蓄積させる為の著作権保護が必要なデータを含んだデータをＩＥＥＥ１３９４バス１０３に転送したり、情報処理装置１００からの著作権保護が必要なデータを含んだデータをＩＥＥＥ１３９４バス１０３を介して受信して再生する装置であり、例えばＳＴＢ（セットトップボックス：衛星放送受信機）等が該当する。
【００１３】
情報処理装置１００は、ＩＥＥＥ１３９４バス１０３を介してホストシステム１０５と著作権保護が必要なデータを含んだデータを遣り取りしながら、著作権保護が必要なデータについては著作権を保護して蓄積手段（不揮発記憶部）であるハードディスクドライブ１２０に記録および／またはハードディスクドライブ１２０から再生する装置である。
【００１４】
情報処理装置１００は、インターフェイス１０１、コントローラ１１０、ハードディスクドライブ１２０から構成される。また、コントローラ１１０は、不揮発メモリ１１１、暗号化手段１１２、復号手段１１３、制御手段１１４から構成される。
【００１５】
ＩＥＥＥ１３９４バス１０３を介してホストシステム１０５から受取った著作権保護が必要なデータを含んだデータはコントローラ１１０において、蓄積手段への記録または／および再生がデータの持つリアルタイム性を満たす処理能力を保証するのに適した記憶単位（前述したＡＶ情報のアクセス単位）に分割され、ハードディスクドライブ１２０のユーザー領域１２２に、暗号化手段１１２で暗号化されたデータが記録される。その際、どのデータがどの記録単位に記録されているのか、あるいはユーザー領域１２２のどの記録単位が記録媒体のディフェクト等の要因により、一定の処理能力が得られないため、予備領域１２３のどの記録単位と交替しているのか等の管理情報も、制御手段１１４によって作成され、暗号化手段１１２で暗号化されて、ハードディスクドライブ１２０の管理領域１２１に記録される。
【００１６】
暗号化手段１１２では、不揮発メモリ１１１に持っているコントローラー１１０に固有の情報１１１Ａとハードディスクドライブ１２０から読み出したハードディスクドライブ１２０に固有の情報１２０Ａを合わせた情報を鍵として、共通鍵方式の暗号化アルゴリズムであるＤＥＳ方式で暗号化を行う。コントローラ１１０に固有の情報１１１Ａは、不揮発メモリ１１１として書き換え可能な不揮発メモリ(例えばＥＥＰＲＯＭ等)を採用し、製造時に書き込んでおく。ハードディスクドライブ１２０に固有の情報１２０Ａは、ハードディスクのシリアル番号等、外部から自由に読み書き出来ない領域に書き込んでおき、暗号化手段１１２で暗号化を行う度に、或いは本情報処理装置が起動する度にハードディスクドライブ１２０から読み出す様にしておく。
【００１７】
蓄積した情報を再生する場合は、暗号化時と同様にコントローラ１１０に固有の情報１１１Ａとハードディスクドライブ１２０から読み出したハードディスクドライブ１２０に固有の情報１２０Ａを合わせた情報を鍵として、先ずハードディスクドライブ１２０の管理領域１２１から管理情報を読み出して復号手段１１３で復号し、その情報に基づいて制御手段１１４が目的の情報が存在する記録単位から情報を読み出し、復号手段１１３で復号し、ＩＥＥＥ１３９４バス１０３を介してホストシステム１０５に送信し、テレビモニター等で視聴する。
【００１８】
この様な構成にすれば、ハードディスクドライブ１２０に蓄積した著作権保護が必要なデータを複製する目的で、ハードディスクドライブ１２０を例えばパーソナルコンピューターに接続して、Ｕｎｉｘ（登録商標）等のＤＯＳを用いてハードディスクドライブ１２０の情報をビット単位で複製しても、ハードディスクドライブ１２０に固有の情報１２０Ａは複製できないので、コントローラ１１０あるいは他のいかなるコントローラに接続しても、暗号時の鍵の一部で有るハードディスクドライブ１２０に固有の情報１２０Ａを取得する事が出来ないので復号する事が出来ず、著作権保護が必要なデータの著作権をこの様なリストア−セーブアタックから適正に保護する事が出来る。
【００１９】
図２および図３は、本発明の実施の形態１における情報処理装置を製造する際の概念図である。図２(a)は出荷前のHDDの性能確認検査工程におけるコントローラとHDDの接続状態を示した構成図であり、コントローラは検査専用のコントローラである。
【００２０】
図２（ｂ）に示すように、市販のハードディスクドライブ４２０にコントローラ４１０を接続して、ハードディスクドライブ４２０の外部から自由に読み書き出来ない領域に、このハードディスクドライブ４２０にユニークなデータ４２０Ａを書き込む。
【００２１】
次にハードディスクドライブ４２０の、情報処理装置としてユーザーに開放するユーザ領域４２２全域に、記録または／および再生動作を行い、例えばＢＳデジタルのハイビジョン放送波等の、記録または／および再生を保証する情報が持つリアルタイム性を満たす処理能力が有るか否かを確認する。この時記録または／および再生動作は、実際にリアルタイム性を保証するのに適した記録単位で行い、記録媒体のディフェクト等の要因により、一定の処理能力が得られない部位は、リアルタイム性を保証するのに適した記録単位（ＡＶ情報のアクセス単位）で予備領域４２３の記録単位と交替させるべく、交替元のユーザ領域４２２の位置と、交替先の予備領域４２３の位置との対応表４２４を作成する。記録または／および再生動作時に、上記で作成した対応表すなわちユーザ領域/予備領域対応情報４２４に従って、ユーザ領域４２２のディフェクト等の要因により、一定の処理能力が得られない記録単位への動作は、替わりに予備領域４２３の記録単位への動作に切り替えることが出来れば、ハードディスクドライブ４２０の性能を保証する事が出来る。
【００２２】
その為にユーザ領域/予備領域対応情報４２４は、コントローラ４１０の不揮発メモリ４１１に、ユニークデータ４１１Ａとは別に持っている、該当の情報処理装置の例えば一機種を通して共通の値で持っている汎用データ４１１Ｂとハードディスクドライブ４２０のユニークデータ４２０Ａとを使用して、暗号化手段４１２で暗号化してハードディスクドライブ４２０に書き込まれる。
【００２３】
以上までの動作がハードディスクドライブの性能確認検査工程である。その後図３（ａ）に示すようにハードディスクドライブ４２０は、情報処理装置５００としてコントローラ５１０と組み合わされて以降の製造工程を行なう。
【００２４】
まず図３（ｂ）に示すようにコントローラ５１０の不揮発メモリ５１１に、他に同一の値が存在しないコントローラ５１０に固有のユニークデータ５１１Ａと、ユニークではない汎用データ ５１１Ｂとを書き込む。汎用データの具体例としては、ＩＥＥＥ１３９４インターフェイスでプラグアンドプレイを実現するため等にＩＥＥＥ１２１２で標準化されている、機器の各種情報を規定するConfiguration ROM情報の内の、会社識別子や製品型識別子等を使用する。
【００２５】
次にハードディスクドライブ４２０に保存されているユーザ領域/予備領域対応情報４２４を、コントローラ５１０の復号手段５１３を使用して復号する。その際に、コントローラ５１０の不揮発メモリ５１１に書き込む汎用データ５１１Ｂを、ハードディスクドライブ４２０の性能確認時のコントローラ４１０の不揮発メモリ４１１に持っている汎用データ４１１Ｂと同一の値にしておけば、ユーザ領域/予備領域対応情報４２４は正しく復号される。
【００２６】
正しく読み出したユーザ領域/予備領域対応情報４２４を元に、今度はコントローラ５１０の不揮発メモリ５１１に書き込んだユニークデータ５１１Ａと、ハードディスクドライブ４２０のユニークデータ４２０Ａを暗号の鍵にして、記録された情報が無い状態の管理情報をハードディスクドライブ４２０の管理領域５２１に書き込み、その動作が正しく終了した事を確認した後、ユーザ領域/予備領域対応情報４２４を削除する。
【００２７】
この一連の操作により情報処理装置５００は、情報処理装置５００を構成するコントローラとは別のコントローラ（ＨＤＤの性能確認検査工程で用いた専用のコントローラ）によってハードディスクドライブ４２０の性能が確認されているにも拘らず、これ以降ユーザ領域/予備領域対応情報５２１Ａに従って、ユーザ領域４２２のディフェクト等の要因により、一定の処理能力が得られない記録単位への動作は、替わりに予備領域４２３の記録単位への動作に切り替えることで、ハードディスクドライブ４２０の性能を保証する事が出来、かつ管理情報はコントローラ５１１のユニークデータ５１１Ａで暗号化されているので、著作権保護が必要なデータを蓄積した場合もそのデータの著作権を適切に保護する事が出来る。
【００２８】
以上の様に本発明の実施の形態１によれば、コントローラとハードディスクドライブの組み合わせを選ばずに、リアルタイム性能の保証と蓄積データの著作権の適切な保護とを同時に満たす情報処理装置を提供することが可能となる。
【００２９】
これは単に製造時の、コントローラ実装とハードディスクドライブ性能評価の同期をとる必要が無くなったばかりではなく、例えば実装済コントローラと性能評価済ハードディスクドライブを別々に客先に提供しても、客先で任意の組み合わせで組み上げるだけでリアルタイム性能の保証と蓄積データの著作権の適切な保護とを同時に満たす情報処理装置を実現する事が出来る。さらにはハードディスクドライブベンダーで出荷前に図２で示した処理を実施出来れば、出荷されたハードディスクドライブと実装済コントローラとを組み上げるだけでリアルタイム性能の保証と蓄積データの著作権の適切な保護とを同時に満たす情報処理装置を実現する事が出来、情報処理装置トータルのコストを大幅に削減する事が可能となる。
【００３０】
なお、本実施の形態において、インターフェイスはＩＥＥＥ１３９４としたが、これに限らずＵＳＢやＨＤＭＩ、イーサネット（登録商標）等を使用しても構わない。
【００３１】
さらに、蓄積手段（不揮発記憶部）はハードディスクドライブとしたが、これに限らずシリアルＡＴＡ等の汎用Ｉ/Ｆを持つ光学ディスクなどの他の蓄積媒体でも良いし、独自規格の半導体メモリ（ＳＤメモリカード）等であっても良い。
【００３２】
さらに、暗号化方式は共通鍵方式のＤＥＳとしたが、これに限らずＣ２などの他のアルゴリズムでも良いし、暗号化と復号が別の鍵になる方式でも構わない。
【００３３】
さらに、暗号化の鍵はコントローラに固有の情報とハードディスクドライブに固有の情報を合わせた情報としたが、これに限らない。コントローラに固有の情報とハードディスクドライブに固有の情報が、最終的に共に使用されればよく、コントローラに固有の情報とハードディスクドライブに固有の情報のうち、いずれか一方を用いて情報を暗号化し、次に残る一方を用いて暗号化を重ねる二重暗号化の方法や、いずれか一方の固有情報でもう一方の固有情報を先ず暗号化し、得られた情報を鍵にして情報を暗号化する等の方法でも構わない。また本実施例の様にユニークデータで暗号化した後に消去する様に、セキュリティーに問題の無い、或いは極めて問題の少ない場合は、暗号化を施さない場合にも適用できる。
【００３４】
さらに、ハードディスクドライブのユニークデータは、外部から自由に読み書き出来ない領域に書き込むとしたが、これに限らずパーソナルコンピューター等を使用してハードディスクドライブの情報をビット単位で複製しても、正しく複製できない仕組みが採れれば、外部から自由に読み書き出来る領域に書き込んでも構わない。
【００３５】
さらに、ハードディスクドライブのユニークデータは製造時に書き込むとしたが、これに限らずハードディスクドライブのベンダー等、別の場所で書き込んでも構わないし、シリアル番号等既存のデータを使用するのであれば、書き込まなくても構わない。
【００３６】
さらに、コントローラの汎用データとしてはConfiguration ROM情報を使用するとしたが、これに限らずコントローラがシリアル番号を持つ場合はその一部(全部だとユニークになってしまうので)を用いても良いし、コントローラのファームウェアのバージョン情報等、一定範囲のコントローラが共通に持つ情報であれば構わない。
【００３７】
さらに、管理領域５２１作成動作が正しく終了した事を確認後、ユーザ領域/予備領域対応情報４２４は削除するとしたが、セキュリティーに問題の無い、或いは極めて問題の少ない場合は削除せずに残しておけば、ユーザの手元で何らかの障害によって正しい管理情報が読み出せなくなった場合等に、このユーザ領域/予備領域対応情報４２４を使用して記録された情報が無い状態の管理情報をハードディスクドライブ４２０の管理領域５２１に書き込めば、情報処理装置を出荷時の状態に戻す機能をユーザに提供する事が出来る。
【００３８】
（実施の形態２）
図２および図４は、本発明の実施の形態２における情報処理装置を製造する際の概念図である。実施の形態１と同様に出荷前のHDDの性能確認検査工程（図２参照）を行なう。
【００３９】
上述のように製造された２台のハードディスクドライブ４２０（４２０-１と４２０-２）は、図４（ａ）に示すように情報処理装置６００としてコントローラ６１０のＡＴＡバスのマスター位置（４２０-１）とスレイブ位置（４２０-２）に組み合わされて以降の製造工程を行なう。
【００４０】
まず図４（ｂ）に示すようにコントローラ６１０の不揮発メモリ６１１に、他に同一の値が存在しないコントローラ６１０に固有のユニークデータ６１１Ａと、ユニークではない汎用データ ６１１Ｂとを書き込む。
【００４１】
次にコントローラ６１０のマスター位置に接続されたハードディスクドライブ４２０-１に保存されている主ユーザ領域/予備領域対応情報４２４-１と、スレイブ位置に接続されたハードディスクドライブ４２０-２に保存されている従ユーザ領域/予備領域対応情報４２４-２とを、コントローラ６１０の復号手段６１３を使用して復号する。
【００４２】
その際に、コントローラ６１０の不揮発メモリ６１１に書き込む汎用データ６１１Ｂを、ハードディスクドライブ４２０-１と４２０-２の性能確認時のコントローラ４１０の不揮発メモリ４１１に持っている汎用データ４１１Ｂと同一の値にしておけば、主/従両ユーザ領域/予備領域対応情報４２４-１と４２４-２は正しく復号される。
【００４３】
正しく読み出した主/従両ユーザ領域/予備領域対応情報４２４-１と４２４-２を元に、今度はコントローラ６１０の不揮発メモリ６１１に書き込んだユニークデータ６１１Ａと、ハードディスクドライブ４２０-１のユニークデータ４２０Ａ-１を暗号の鍵にして、記録された情報が無い状態の管理情報をハードディスクドライブ４２０-１と４２０-2の管理領域４２１-１と４２１-2に書き込み、その動作が正しく終了した事を確認した後、主/従両ユーザ領域/予備領域対応情報４２４-１と４２４-２を削除する。
【００４４】
この一連の操作により情報処理装置６００は、情報処理装置６００を構成するコントローラとは別のコントローラによってハードディスクドライブ４２０-１と４２０-２の性能が確認されているにも拘らず、これ以降全ユーザ領域/予備領域対応情報４２１Ａ-１と４２１Ａ-2に従って、ユーザ領域４２２-１と４２２-２のディフェクト等の要因により、一定の処理能力が得られない記録単位への動作は、替わりに予備領域４２３-１と４２３-２の記録単位への動作に切り替えることで、ハードディスクドライブ４２０-１と４２０-２の性能を保証する事が出来、かつ管理情報はコントローラ６１１のユニークデータ６１１Ａで暗号化されているので、著作権保護が必要なデータを蓄積した場合もそのデータの著作権を適切に保護する事が出来る。
【００４５】
以上の様に本発明の実施の形態２も実施の形態１と同様、コントローラとハードディスクドライブの組み合わせを選ばずに、リアルタイム性能の保証と蓄積データの著作権の適切な保護とを同時に満たす情報処理装置を提供することが可能となる。
【００４６】
これは単に製造時の、コントローラ実装とハードディスクドライブ性能評価の同期をとる必要が無くなったばかりではなく、例えば実装済コントローラと性能評価済ハードディスクドライブを別々に客先に提供しても、客先で任意の組み合わせで組み上げるだけでリアルタイム性能の保証と蓄積データの著作権の適切な保護とを同時に満たす情報処理装置を実現する事が出来る。さらにはハードディスクドライブベンダーで出荷前に図２で示した処理を実施出来れば、出荷されたハードディスクドライブと実装済コントローラとを組み上げるだけでリアルタイム性能の保証と蓄積データの著作権の適切な保護とを同時に満たす情報処理装置を実現する事が出来、情報処理装置トータルのコストを大幅に削減する事が可能となる。
【００４７】
また、リアルタイム性能未測定のハードディスクドライブを接続して、最初から固有のコントローラとハードディスクドライブとの組み合わせで生産を開始するよりも、リアルタイム性能ＯＫ品のみを選択して組み合わせる事が可能になる分、工程のタクトが軽減される。
【００４８】
なお、本実施の形態において、コントローラに接続されるハードディスクドライブはＡＴＡインターフェイスのマスター位置とスレイブ位置とに接続されるとしたが、これに限らず、プライマリーバスとセカンダリーバスに接続されても良いし、ＳＣＳＩインターフェイス等を使用しても構わない。
【００４９】
さらに、蓄積手段はハードディスクドライブとしたが、これに限らず、シリアルＡＴＡ等の汎用Ｉ/Ｆを持つ他の蓄積媒体でも良いし、独自規格の半導体メモリ等であっても良い。
【産業上の利用可能性】
【００５０】
本発明にかかる情報処理装置は、リアルタイム処理性能保証が可能で、かつ著作権保護も両立できる情報処理装置を、制御装置と蓄積装置とを全く個別に生産した後、任意に組み合わせる事、或いは全く組み合わせずに出荷する事が可能となり、その事によって大幅な製造コスト削減が可能となるので、オーディオ機器、ビデオ機器等の映像や音声等の情報に対して、録画や再生等の処理を行う、情報処理装置等として有用である。
【図面の簡単な説明】
【００５１】
【図１】本発明の実施の形態１における情報処理装置の構成図
【図２】（ａ）はHDDの性能確認検査工程におけるコントローラとHDDの接続状態を示した構成図（ｂ）は上記HDDの性能確認検査工程の動作状況を示した構成図
【図３】（ａ）は本発明の実施の形態１に係る、情報処理装置の製造工程におけるコントローラとHDDの接続状態を示した構成図（ｂ）は上記情報処理装置の製造工程の動作状況を示した構成図
【図４】（ａ）は本発明の実施の形態２に係る、情報処理装置の製造工程におけるコントローラとHDDの接続状態を示した構成図（ｂ）は上記情報処理装置の製造工程の動作状況を示した構成図
【符号の説明】
【００５２】
１００    情報処理装置
１０１    ＩＥＥＥ１３９４インターフェイス
１０３    ＩＥＥＥ１３９４バス
１０４    ＩＥＥＥ１３９４インターフェイス
１０５    ホストシステム
１１０    コントローラ
１１１    不揮発メモリ
１１１Ａ    ユニークデータ
１１１Ｂ    汎用データ
１１２    暗号化手段
１１３    復号手段
１１４    制御手段
１２０    ハードディスクドライブ（蓄積手段）
１２０Ａ    ユニークデータ
１２１    管理領域
１２１Ａ    ユーザ領域/予備領域対応情報
１２２    ユーザー領域
１２３    予備領域
１２４    ユーザ領域/予備領域対応情報
４１０    コントローラ
４１１    不揮発メモリ
４１１Ａ    ユニークデータ
４１１Ｂ    汎用データ
４１２    暗号化手段
４１３    復号手段
４１４    制御手段
４２０    ハードディスクドライブ（蓄積手段）
４２０Ａ    ユニークデータ
４２２    ユーザー領域
４２３    予備領域
４２４    ユーザ領域/予備領域対応情報
５００    情報処理装置
５０１    ＩＥＥＥ１３９４インターフェイス
５１０    コントローラ
５１１    不揮発メモリ
５１１Ａ    ユニークデータ
５１１Ｂ    汎用データ
５１２    暗号化手段
５１３    復号手段
５１４    制御手段
５２１    管理領域
５２１Ａ    ユーザ領域/予備領域対応情報
６００    情報処理装置
６０１    ＩＥＥＥ１３９４インターフェイス
６１０    コントローラ
６１１    不揮発メモリ
６１１Ａ    ユニークデータ
６１１Ｂ    汎用データ
６１２    暗号化手段
６１３    復号手段
６１４    制御手段
６２０    ハードディスクドライブ（蓄積手段）
６２０Ａ    ユニークデータ
６２１    管理領域
６２２    ユーザー領域
６２３    予備領域
６２４    ユーザ領域/予備領域対応情報
６３０    ハードディスクドライブ（蓄積手段）
６３０Ａ    ユニークデータ
６３１    管理領域
６３１Ａ    ユーザ領域/予備領域対応情報
６３２    ユーザー領域
６３３    予備領域
６３４    ユーザ領域/予備領域対応情報
【図１】
2007133631.tif 000003
【図２】
2007133631.tif 000004
【図３】
2007133631.tif 000005
【図４】
2007133631.tif 000006